(57)【要約】【課題】簡易に、生物模倣技術についての有益なヒントを得ることができるようにする。【解決手段】入力部３０は、工業製品の構造又は機能に関する用語の入力を受け付ける。生物種データ抽出部３６は、受け付けた用語に対して予め関連付けられた生物種の構造又は機能に関する指標の特性値を、生物種の種類毎に取得する。グラフ描画部３８は、生物種の構造又は機能に関する指標の特性値と、大きさ又は重さとの関係を表すグラフ、及び相関を表す近似式を提示する。【選択図】図２
2017211724.tif 000002
【特許請求の範囲】
【請求項１】
生物種の種類毎に、生物種の大きさ又は重さと、生物種の構造又は機能に関する各指標の特性値とを記憶する生物種データベースと、
工業製品の構造又は機能に関する用語の入力を受け付ける入力手段と、
前記入力手段によって受け付けた前記用語に対して予め関連付けられた前記生物種の構造又は機能に関する指標の特性値を、前記生物種の種類毎に取得する特性値取得手段と、
前記特性値取得手段によって前記生物種の種類毎に取得した前記生物種の構造又は機能に関する指標の特性値と、前記生物種の種類毎の大きさ又は重さとの関係を表すグラフ、及び前記生物種の種類毎に取得した前記生物種の構造又は機能に関する指標の特性値と、前記生物種の種類毎の大きさ又は重さとの相関を表す近似式を提示する提示手段と、
を含む生物模倣技術検索装置。
【請求項２】
前記入力手段は、前記用語に対して予め関連付けられた前記生物種の構造又は機能に関する指標の特性値に対応する、工業製品の構造又は機能に関する指標の特性値と、前記工業製品の大きさ又は重さとの入力を更に受け付け、
前記提示手段は、前記工業製品の構造又は機能に関する指標の特性値と、前記工業製品の大きさ又は重さとの関係を更に表す前記グラフを提示する請求項１記載の生物模倣技術検索装置。
【請求項３】
前記グラフが表す、前記生物種の構造又は機能に関する指標の特性値と、前記生物種の大きさ又は重さとの関係、及び前記工業製品の構造又は機能に関する指標の特性値と、工業製品の大きさ又は重さとの関係を比較して、前記工業製品より前記生物種の方が優れているか否かを判定する優劣判定手段と、
前記優劣判定手段によって前記工業製品より前記生物種の方が優れていると判定された場合、前記生物種の構造又は機能に関する指標の特性値と、前記生物種の大きさ又は重さとの関係が最も優れている前記生物種を特定し、前記生物種に関する情報を提示する生物種情報提示手段と、
を更に含む請求項２記載の生物模倣技術検索装置。
【請求項４】
検索者毎に、自装置の使用状況を収集する収集手段と、
前記収集手段によって収集された使用状況に基づいて、他の検索者より自装置を使用している検索者を特定し、前記検索者に関する情報を提示する検索者情報提示手段と、
を更に含む請求項１〜請求項３の何れか１項記載の生物模倣技術検索装置。
【請求項５】
前記入力手段によって受け付けた前記用語に対して予め関連付けられた前記生物種の構造又は機能に関する指標を収集する収集手段と、
前記収集手段によって収集された前記生物種の構造又は機能に関する指標に基づいて、他の指標より閲覧されている、前記生物種の構造又は機能に関する指標を特定し、前記生物種の構造又は機能に関する指標に関する情報を提示する指標情報提示手段と、
を更に含む請求項１〜請求項３の何れか１項記載の生物模倣技術検索装置。
【請求項６】
前記近似式を、アロメトリ式とした請求項１〜請求項５の何れか１項記載の生物模倣技術検索装置。
【請求項７】
前記提示手段は、両対数グラフであって、横軸を大きさ又は重さに関するデータとし、縦軸を、構造又は機能に関する指標のデータとした前記グラフを提示する請求項１〜請求項６の何れか１項記載の生物模倣技術検索装置。
【請求項８】
生物種の種類毎に、生物種の大きさ又は重さと、生物種の構造又は機能に関する各指標の特性値とを記憶する生物種データベースを含むコンピュータを、
工業製品の構造又は機能に関する用語の入力を受け付ける入力手段、
前記入力手段によって受け付けた前記用語に対して予め関連付けられた前記生物種の構造又は機能に関する指標の特性値を、前記生物種の種類毎に取得する特性値取得手段、及び
前記特性値取得手段によって前記生物種の種類毎に取得した前記生物種の構造又は機能に関する指標の特性値と、前記生物種の種類毎の大きさ又は重さとの関係を表すグラフ、及び前記生物種の種類毎に取得した前記生物種の構造又は機能に関する指標の特性値と、前記生物種の種類毎の大きさ又は重さとの相関を表す近似式を提示する提示手段
として機能させるためのプログラム。
【発明の詳細な説明】
【技術分野】
【０００１】
本発明は、生物模倣技術検索装置及びプログラムに係り、特に、生物模倣技術を検索するための生物模倣技術検索装置及びプログラムに関する。
【背景技術】
【０００２】
従来より、パソコンやスマートフォンなどの情報端末を用いて百科事典などのデータベースの中を用語（キーワード）で検索できるシステムは一般的であり、このような検索システムではキーワードに対してデータベースから、テキストデータや画像を検索結果として表示させることができる。さらに、キーワードに関連した重要度の高い他の用語についても視覚的に提示可能としたシステムも提案されている（特許文献１）。
【０００３】
また、生物の構造や機能にヒントを得る生物模倣技術に関する検索システムとして、大量の画像データの類似性を比較して、検索者の発想を想起するシステムも存在する。この画像検索システムでは生物表面と工業製品の微細構造との比較も可能になっている（非特許文献１）。
【先行技術文献】
【特許文献】
【０００４】
【特許文献１】特開２０１６−３１６０７号公報
【非特許文献】
【０００５】
【非特許文献１】増田貴司、「バイオミメティクスの新展開」、東レ経営研究所、2015年
【非特許文献２】下村政嗣、「バイオミメティクスと表面技術」、表面技術、Vol.64、p.2-8、2013年
【発明の概要】
【発明が解決しようとする課題】
【０００６】
生物百科事典などのデータベースを用いた検索結果では、テキストデータや画像が提示されるシステムのため、生物の持つ機能や構造の定量データを複数の生物種にまたがって同時に提示し比較することは困難であり、生物の特徴からヒントを得て工業製品に応用する場合は使い勝手が悪い。
【０００７】
また、生物模倣技術に関する画像検索システムについては、検索者が生物の表面画像を見て、工業製品との類似性を独自に判断した上で発想することになるため、検索者の経験の度合いによっては、生物情報から発想が生まれない可能性が生じる。また、生物の表面には、様々な機能（たとえば撥水性、表面粗さ、摩擦、光の反射性など）が含まれるため、表面画像の類似性を比較しただけでは、検索者の所望する機能を本当に対象生物が有しているかどうかは判断できない。さらに、画像にはあらわれない構造や機能（たとえば、軽量化のための骨格の重量など）については画像検索システムでは有益なヒントを得ることが出来ない。
【０００８】
本発明は、上記の事情を鑑みてなされたもので、簡易に、生物模倣技術についての有益なヒントを得ることができる生物模倣技術検索装置及びプログラムを提供することを目的とする。
【課題を解決するための手段】
【０００９】
上記の目的を達成するために本発明に係る生物模倣技術検索装置は、生物種の種類毎に、生物種の大きさ又は重さと、生物種の構造又は機能に関する各指標の特性値とを記憶する生物種データベースと、工業製品の構造又は機能に関する用語の入力を受け付ける入力手段と、前記入力手段によって受け付けた前記用語に対して予め関連付けられた前記生物種の構造又は機能に関する指標の特性値を、前記生物種の種類毎に取得する特性値取得手段と、前記特性値取得手段によって前記生物種の種類毎に取得した前記生物種の構造又は機能に関する指標の特性値と、前記生物種の種類毎の大きさ又は重さとの関係を表すグラフ、及び前記生物種の種類毎に取得した前記生物種の構造又は機能に関する指標の特性値と、前記生物種の種類毎の大きさ又は重さとの相関を表す近似式を提示する提示手段と、を含んで構成されている。
【００１０】
本発明に係るプログラムは、生物種の種類毎に、生物種の大きさ又は重さと、生物種の構造又は機能に関する各指標の特性値とを記憶する生物種データベースを含むコンピュータを、工業製品の構造又は機能に関する用語の入力を受け付ける入力手段、前記入力手段によって受け付けた前記用語に対して予め関連付けられた前記生物種の構造又は機能に関する指標の特性値を、前記生物種の種類毎に取得する特性値取得手段、及び前記特性値取得手段によって前記生物種の種類毎に取得した前記生物種の構造又は機能に関する指標の特性値と、前記生物種の種類毎の大きさ又は重さとの関係を表すグラフ、及び前記生物種の種類毎に取得した前記生物種の構造又は機能に関する指標の特性値と、前記生物種の種類毎の大きさ又は重さとの相関を表す近似式を提示する提示手段として機能させるためのプログラムである。
【００１１】
本発明によれば、入力手段によって、工業製品の構造又は機能に関する用語の入力を受け付ける。特性値取得手段によって、前記入力手段によって受け付けた前記用語に対して予め関連付けられた前記生物種の構造又は機能に関する指標の特性値を、前記生物種の種類毎に取得する。そして、提示手段によって、前記特性値取得手段によって前記生物種の種類毎に取得した前記生物種の構造又は機能に関する指標の特性値と、前記生物種の種類毎の大きさ又は重さとの関係を表すグラフ、及び前記生物種の種類毎に取得した前記生物種の構造又は機能に関する指標の特性値と、前記生物種の種類毎の大きさ又は重さとの相関を表す近似式を提示する。
【００１２】
このように、工業製品の構造又は機能に関する用語の入力を受け付け、用語に対して予め関連付けられた前記生物種の構造又は機能に関する指標の特性値を、前記生物種の種類毎に取得し、生物種の構造又は機能に関する指標の特性値と、前記生物種の種類毎の大きさ又は重さとの関係を表すグラフ、相関を表す近似式を提示することにより、簡易に、生物模倣技術についての有益なヒントを得ることができる。
【発明の効果】
【００１３】
以上説明したように、本発明の生物模倣技術検索装置及びプログラムによれば、工業製品の構造又は機能に関する用語の入力を受け付け、用語に対して予め関連付けられた前記生物種の構造又は機能に関する指標の特性値を、前記生物種の種類毎に取得し、生物種の構造又は機能に関する指標の特性値と、前記生物種の種類毎の大きさ又は重さとの関係を表すグラフ、相関を表す近似式を提示することにより、簡易に、生物模倣技術についての有益なヒントを得ることができる、という効果が得られる。
【図面の簡単な説明】
【００１４】
【図１】本発明の第１の実施の形態に係る生物模倣技術検索装置を示すブロック図である。
【図２】本発明の第１の実施の形態に係る生物模倣技術検索装置を示す機能ブロック図である。
【図３】生物種データベースの内容を示す図である。
【図４】生物種データベースの内容を示す図である。
【図５】生物種における体重と骨格重量との関係を表すグラフの例を示す図である。
【図６】生物種における体重と骨格重量との関係を表すグラフ及びアロメトリ式を示す図である。
【図７】自動車のデータを追加したグラフの例を示す図である。
【図８】アロメトリ式から外れて特に優れているデータを説明するための図である。
【図９】本発明の第１の実施の形態に係る生物模倣技術検索装置の生物模倣技術検索処理ルーチンの内容を示すフローチャートである。
【図１０】本発明の第２の実施の形態に係る生物模倣技術検索装置を示す機能ブロック図である。
【発明を実施するための形態】
【００１５】
以下、図面を参照して本発明の実施の形態を詳細に説明する。
【００１６】
図１に示すように、第１の実施の形態に係る生物模倣技術検索装置１０は、ＣＰＵ１２、ＲＯＭ１４、ＲＡＭ１６、ＨＤＤ１８、通信インタフェース２０、及びこれらを相互に接続するためのバス２２を備えている。
【００１７】
ＣＰＵ１２は、各種プログラムを実行する。ＲＯＭ１４には、各種プログラムやパラメータ等が記憶されている。ＲＡＭ１６は、ＣＰＵ１２による各種プログラムの実行時におけるワークエリア等として用いられる。記録媒体としてのＨＤＤ１８には、後述する生物模倣技術検索処理ルーチンを実行するためのプログラムを含む各種プログラムや各種データが記憶されている。
【００１８】
第１の実施の形態における生物模倣技術検索装置１０を、生物模倣技術検索処理ルーチンを実行するためのプログラムに沿って、機能ブロックで表すと、図２に示すようになる。生物模倣技術検索装置１０は、入力部３０、生物種データベース３２、関連指標取得部３４、生物種データ抽出部３６、グラフ描画部３８、工業製品データ入力画面生成部４０、グラフ追加描画部４２、優劣判定部４４、生物情報提示画面生成部４６、及び表示部４８を備えている。なお、関連指標取得部３４及び生物種データ抽出部３６が、特性値取得手段の一例であり、グラフ描画部３８及びグラフ追加描画部４２が、提示手段の一例である。
【００１９】
入力部３０は、工業製品に関する構造又は機能の用語を検索クエリとして受け付ける。例えば、表示部４８により、入力画面に、生物種データベース３２から得られる工業製品に関する構造又は機能の用語のリストをプルダウンメニューで表示し、検索者が、検索クエリとしての工業製品に関する構造又は機能の用語を選択する。
【００２０】
また、入力部３０は、更に、工業製品の構造又は機能に関する指標の特性値と、工業製品の大きさ又は重さとの入力を受け付ける。
【００２１】
生物種データベース３２は、図３に示すように、生物種の種類毎に、生物の名称、生物種の分類、体重及び全長など大きさに関する各指標の代表的な特性値と、骨格重量、代謝率、寿命、脳の大きさなど、構造又は機能に関する各指標の特性値とを記憶している。生物種データベース３２は、更に、生物種の種類毎に、生物種の代表的な写真、生物種に関する生態などの説明を記憶している。生物種データベース３２は随時アップデートできるようなフォーマットになっている。
【００２２】
また、生物種データベース３２は、図４に示すように、工業製品の構造又は機能に関する用語毎に、当該用語に関連付けられた生物種の大きさに関する指標、及び構造又は機能に関する指標を格納しており、更に、関連付けられた生物種の大きさに関する指標、及び構造又は機能に関する指標に対応する、工業製品の大きさに関する指標、及び構造又は機能に関する指標を格納している。ここで、工業製品の構造又は機能に関する用語に関連付けられた生物種の大きさに関する指標、及び構造又は機能に関する指標は、工業製品の構造又は機能に関する用語に関連する工業製品の大きさに関する指標、及び構造又は機能に関する指標に対応するものである。
【００２３】
関連指標取得部３４は、生物種データベース３２から、入力部３０によって受け付けた、工業製品の構造又は機能に関する用語に対して関連付けられた、生物種の大きさに関する指標、及び生物種の構造又は機能に関する指標を取得する。
【００２４】
生物種データ抽出部３６は、生物種データベース３２から、関連指標取得部３４によって取得した生物種の大きさに関する指標の特性値を、生物種の種類毎に取得すると共に、生物種の構造又は機能に関する指標の特性値を、生物種の種類毎に取得する。
【００２５】
グラフ描画部３８は、生物種データ抽出部３６によって生物種の種類毎に取得した、生物種の大きさに関する指標の特性値と、生物種の構造又は機能に関する指標の特性値との関係を表すグラフを描画すると共に、生物種の種類毎に取得した生物種の構造又は機能に関する指標の特性値と、生物種の種類毎の大きさに関する指標の特性値との相関を表す近似式を提示する。
【００２６】
例えば、工業製品の構造又は機能に関する用語「軽量化」が入力された場合には、生物種データベース３２から、軽量化に関連づけられた指標「体重」の特性値と指標「骨格重量」の特性値が生物種毎に抽出され、図５に示すような両対数グラフであって、横軸を大きさ又は重さに関するデータとし、縦軸を、構造又は機能に関する指標のデータとしたグラフにプロットされる。そして、プロットされたデータに対してべき乗則を当てはめて、アロメトリ式を算出し、図６に示すように、グラフ上に、算出されたアロメトリ式を描画する。検索者はここまでで生物模倣技術検索装置１０の利用を停止することもできるし、工業製品のデータを用いて検索を継続することもできる。
【００２７】
工業製品データ入力画面生成部４０は、生物種データベース３２から、入力部３０によって受け付けた、工業製品の構造又は機能に関する用語に対して関連付けられた、工業製品の大きさに関する指標、及び工業製品の構造又は機能に関する指標を取得し、取得した工業製品の大きさに関する指標の特性値、及び工業製品の構造又は機能に関する指標の特性値を入力するための入力画面を生成し、表示部４８により表示する。
【００２８】
グラフ追加描画部４２は、入力部３０により、工業製品データ入力画面生成部４０で生成された入力画面に入力された工業製品の大きさに関する指標の特性値、及び工業製品の構造又は機能に関する指標の特性値を少なくとも１つの製品毎に受け付けると、グラフ描画部３８によって描画されたグラフ上に、工業製品の構造又は機能に関する指標の特性値と、工業製品の大きさ又は重さとの関係をプロットすると共に、工業製品の構造又は機能に関する指標の特性値と、工業製品の大きさに関する指標の特性値との相関を表す近似式を提示する。
【００２９】
例えば、自動車の全重量と骨格重量（ホワイトボディ重量）とが複数車種分入力された場合には、図７に示すように、すでに作成済みの生物種の「体重」の特性値と「骨格重量」の特性値との関係を表すグラフ上に、入力された自動車の全重量と骨格重量（ホワイトボディ重量）とのデータがプロットされると共に、アロメトリ式を用いた近似式が描画される。なお、工業製品の構造又は機能に関する指標の特性値の単位が、生物種の構造又は機能に関する指標の特性値と異なる場合には、生物種の構造又は機能に関する指標の特性値と同じ単位に換算してから、プロットする。
【００３０】
優劣判定部４４は、グラフが表す、生物種の構造又は機能に関する指標の特性値と、生物種の大きさに関する指標の特性値との関係、及び工業製品の構造又は機能に関する指標の特性値と、工業製品の大きさに関する指標の特性値との関係を比較して、工業製品より生物種の方が優れているか否かを判定する。
【００３１】
例えば、上記図７に示すように、自動車の重量に対する骨格重量の割合が、生物の体重に対する骨格重量の割合よりも高い（すなわち、グラフにおいて、自動車のデータが生物のデータよりも上にある）場合は、生物種の方が優れていると判定し、生物模倣する価値があると判断してその情報を表示部４８により表示する。
【００３２】
なお、工業製品のアロメトリ式と生物種のアロメトリ式とが交差している場合には、例えば、特定の工業製品のデータ（例えば、最大重量の工業製品のデータ、最小重量の工業製品のデータ、または平均重量に相当する工業製品のデータ）と、生物種のアロメトリ式とを比較すればよい。また、生物種の構造又は機能に関する指標毎に、データが上にある方が優れているか、下にある方が優れているか、予め定められている。
【００３３】
生物情報提示画面生成部４６は、優劣判定部４４によって工業製品より生物種の方が優れていると判定された場合、生物種の構造又は機能に関する指標の特性値と、生物種の大きさに関する指標との関係が最も優れている生物種を特定し、生物種データベース３２から、特定された生物種に関する詳細情報を取得して、表示部４８により表示する。
【００３４】
例えば、図８に示すように、 生物種のなかでアロメトリ式から外れて特に特性の優れているデータを特定し、当該生物種についての詳細な説明文を提供する。上記図８の例では、データが下ある方が優れているため、アロメトリ式から下側に外れているデータの生物種の詳細な説明文を提供する。
【００３５】
検索者は提示された生物情報をもとに、詳細な調査や検討の足掛かりを得ることができる。
【００３６】
次に、第１の実施の形態に係る生物模倣技術検索装置１０の動作について説明する。
【００３７】
生物模倣技術検索装置１０によって、図９に示す生物模倣技術検索処理ルーチンが実行される。
【００３８】
まず、ステップＳ１００において、工業製品に関する構造又は機能の用語を検索クエリとして受け付ける。そして、ステップＳ１０２において、生物種データベース３２から、上記ステップＳ１００で受け付けた、工業製品の構造又は機能に関する用語に対して関連付けられた、生物種の大きさに関する指標、及び生物種の構造又は機能に関する指標を取得する。
【００３９】
そして、ステップＳ１０４において、生物種データベース３２から、上記ステップＳ１０２によって取得した生物種の大きさに関する指標の特性値を、生物種の種類毎に取得すると共に、上記ステップＳ１０２で取得した生物種の構造又は機能に関する指標の特性値を、生物種の種類毎に取得する。
【００４０】
ステップＳ１０６では、上記ステップＳ１０４で生物種の種類毎に取得した、生物種の大きさに関する指標の特性値と、生物種の構造又は機能に関する指標の特性値との関係を表すグラフを描画すると共に、生物種の種類毎に取得した生物種の構造又は機能に関する指標の特性値と、生物種の種類毎の大きさに関する指標の特性値との相関を表すアロメトリ式を提示する。
【００４１】
ステップＳ１０８では、検索を継続するか否かを判定し、検索者からの検索を終了する指示を受け付けると、生物模倣技術検索処理ルーチンを終了するが、一方、検索者からの検索を継続する指示を受け付けると、ステップＳ１１０へ移行する。
【００４２】
ステップＳ１１０では、生物種データベース３２から、上記ステップＳ１００で受け付けた、工業製品の構造又は機能に関する用語に対して関連付けられた、工業製品の大きさに関する指標、及び工業製品の構造又は機能に関する指標を取得し、取得した工業製品の大きさに関する指標の特性値、及び工業製品の構造又は機能に関する指標の特性値を入力するための入力画面を生成し、表示部４８により表示する。
【００４３】
ステップＳ１１２では、上記ステップＳ１１０で生成された入力画面に入力された工業製品の大きさに関する指標の特性値、及び工業製品の構造又は機能に関する指標の特性値を受け付ける。
【００４４】
そして、ステップＳ１１４では、上記ステップＳ１０６で描画されたグラフ上に、上記ステップＳ１１２で受け付けた、工業製品の構造又は機能に関する指標の特性値と、工業製品の大きさ又は重さとの関係をプロットすると共に、工業製品の構造又は機能に関する指標の特性値と、工業製品の大きさに関する指標の特性値との相関を表すアロメトリ式を描画する。
【００４５】
次のステップＳ１１６では、工業製品のデータより生物種のデータの方が優れているか否かを判定する。工業製品のデータの方が優れている場合には、上記ステップＳ１０８へ戻る。一方、工業製品のデータより生物種のデータの方が優れている場合には、ステップＳ１１８へ移行する。
【００４６】
ステップＳ１１８では、生物種の構造又は機能に関する指標の特性値と、生物種の大きさに関する指標との関係が最も優れている生物種を特定し、生物種データベース３２から、特定された生物種に関する詳細情報を取得して、表示部４８により表示し、生物模倣技術検索処理ルーチンを終了する。
【００４７】
以上説明したように、第１の実施の形態に係る生物模倣技術検索装置によれば、工業製品の構造又は機能に関する用語の入力を受け付け、用語に対して予め関連付けられた生物種の構造又は機能に関する指標の特性値を、生物種の種類毎に取得し、生物種の構造又は機能に関する指標の特性値と、生物種の種類毎の大きさ又は重さとの関係を表すグラフ、相関を表す近似式を提示することにより、検索者は、簡易に、生物模倣技術についての有益なヒントを得ることができる。
【００４８】
また、工業製品の構造や機能の具体的な数値データと複数の生物種の構造や機能の数値データを同じグラフ上に図示して比較することができるため、工業製品の改良を望む検索者にとっては、生物種の構造や機能を工業製品に活用することが妥当か否かを把握することができる。
【００４９】
また、生物種の構造や機能の数値データについて、近似式から大きく外れる生物種のデータを発見することができるため、生物種から学ぶ価値があると判断された場合、どの生物種に着目するとよいかを把握することができる。
【００５０】
また、本実施の形態に係る生物模倣技術検索装置は、データベースとしてあらかじめ生物種の構造や機能に関する説明用語とともに実測データを内蔵するシステムであるため、所望の機能について複数の生物種の実測データをアロメトリ式（べき乗則）で整理して法則性を導いたうえで、工業製品のデータとの比較をグラフ上で実施し、工業製品の構造や機能が生物種に対して優れているかどうかを容易に判断することが可能である。これによって、工業製品を生物模倣によって改良する価値があるかどうかを判断することができる。そして、生物模倣を適用する価値がある場合は、多くの生物種の中から優れた機能を有する生物種を選別し、提示することができる。
【００５１】
なお、本実施の形態では、工業製品の構造又は機能に関する用語に対して、生物種の大きさに関する指標、及び構造又は機能に関する指標を関連付けておく場合を例に説明したが、これに限定されるものではない。例えば、生物種の大きさに関する指標を、全重量のみとする場合には、工業製品の構造又は機能に関する用語に対して、生物種の構造又は機能に関する指標を関連付けておけばよい。
【００５２】
次に、第２の実施の形態について説明する。なお、第１の実施の形態と同様の構成となる部分については、同一符号を付して説明を省略する。
【００５３】
第２の実施の形態では、検索者による検索情報を収集して提供している点が、第１の実施の形態と異なっている。
【００５４】
図１０に示すように、第２の実施の形態に係る生物模倣技術検索装置２１０は、入力部３０、生物種データベース３２、関連指標取得部３４、生物種データ抽出部３６、グラフ描画部３８、工業製品データ入力画面生成部４０、グラフ追加描画部４２、優劣判定部４４、生物情報提示画面生成部４６、表示部４８、検索情報収集部２５０、検索情報データベース２５２、及び検索情報提供部２５４を備えている。なお、検索情報提供部２５４が、検索者情報提示手段及び指標情報提示手段の一例である。
【００５５】
検索情報収集部２５０は、検索者毎に、生物模倣技術検索装置２１０の使用状況を収集し、検索情報データベース２５２に格納する。
【００５６】
例えば、生物模倣技術検索装置２１０を使用するためには、検索者は所属する会社名、専門技術分野をあらかじめ登録する必要があり、生物模倣技術検索装置２１０を使用するたびに、検索者は生物模倣技術検索装置２１０へのログインが必要となる。本実施の形態では、各検索者の以下の（１）〜（４）の情報を収集し、検索情報データベース２５２に格納する。
【００５７】
（１）生物模倣技術検索装置２１０へのログイン回数
（２）生物模倣技術検索装置２１０へのログイン時間
（３）閲覧した生物種の特性情報
（４）入力された工業製品の情報
【００５８】
上記（３）の情報は、検索クエリとして受け付けた工業製品の機能に関する用語に対して関連付けられた生物種の構造又は機能に関する指標である。
【００５９】
検索情報提供部２５４は、検索情報データベース２５２に基づいて、他の検索者より使用している検索者を特定し、当該検索者に関する情報を、表示部４８により提示する。
【００６０】
例えば、上記（１）と（２）の情報から、全検索者の平均ログイン回数や平均ログイン時間よりも高いログイン回数やログイン時間を有する検索者を、生物模倣技術に特に興味を持っている検索者と判断して、当該検索者の会社名と専門技術分野を、表示部４８により表示して、検索システム提供者に一定期間ごとに通知する。システム提供者は、これらの情報をもとに、生物種データベース３２を改良（興味を持っている検索者の技術分野に関する生物種データベースを増強）できる。
【００６１】
また、検索情報提供部２５４は、検索情報データベース２５２に基づいて、他の指標より閲覧されている、生物種の構造又は機能に関する指標を特定し、当該生物種の構造又は機能に関する指標に関する情報を、表示部４８により提示する。
【００６２】
例えば、上記（３）と（４）の情報から、閲覧された生物種の構造又は機能に関する指標の平均回数よりも高い生物種の構造又は機能に関する指標を、有望な生物模倣技術につながる生物情報として、どのような工業製品への応用が考えられているのかを含めて、表示部４８により表示して、システム提供者に一定期間ごとに通知する。システム提供者は、これらの情報をもとに、生物を起点とした異業種の工業製品の特性比較を実施し、新しいアイデア創出をすることができる。
【００６３】
なお、第２の実施の形態に係る生物模倣技術検索装置２１０の他の構成及び作用については、第１の実施の形態と同様であるため、説明を省略する。
【００６４】
以上説明したように、第２の実施の形態に係る生物模倣技術検索装置によれば、検索者の情報と検索履歴を生物模倣技術検索装置内に蓄積することができるため、検索システム提供者にとっては、検索者がどのような機能や構造に着目しているかのニーズ情報を取得することができる。
【００６５】
なお、本発明は、上述した実施形態に限定されるものではなく、この発明の要旨を逸脱しない範囲内で様々な変形や応用が可能である。
【００６６】
例えば、本発明のプログラムは、記憶媒体に格納して提供するようにしてもよい。
【符号の説明】
【００６７】
１０、２１０  生物模倣技術検索装置
３０   入力部
３２   生物種データベース
３４   関連指標取得部
３６   生物種データ抽出部
３８   グラフ描画部
４０   工業製品データ入力画面生成部
４２   グラフ追加描画部
４４   優劣判定部
４６   生物情報提示画面生成部
４８   表示部
２５０ 検索情報収集部
２５２ 検索情報データベース
２５４ 検索情報提供部
【図１】
2017211724.tif 000003
【図２】
2017211724.tif 000004
【図３】
2017211724.tif 000005
【図４】
2017211724.tif 000006
【図５】
2017211724.tif 000007
【図６】
2017211724.tif 000008
【図７】
2017211724.tif 000009
【図８】
2017211724.tif 000010
【図９】
2017211724.tif 000011
【図１０】
2017211724.tif 000012